(57)【要約】【課題】所望のタイミングで、吸収体を加熱することなく、着用者の冷感の知覚を抑制する吸収性物品を提供すること。【解決手段】本発明の吸収性物品１は、肌対向面側に位置する表面シート２と、非肌対向面側に位置する裏面シート３と、両シート間に介在する吸収体４とを備え、着用者の腹側から股間部を介して背側に延びる長手方向と、該長手方向に直交する幅方向とを有する。吸収体４は、肌対向面側から非肌対向面側に凹陥し、且つ長手方向に延びる凹陥部５を有している。温感剤６が、表面シート２の肌対向面側、及び表面シート２と吸収体４との間の少なくとも１つに配されている。表面シート２の肌対向面側に配されている温感剤６は、水崩壊性のカプセルに内包されている。【選択図】図２
2019187963.tif 000002
【特許請求の範囲】
【請求項１】
肌対向面側に位置する表面シートと、非肌対向面側に位置する裏面シートと、両シート間に介在する吸収体とを備え、着用者の腹側から股間部を介して背側に延びる長手方向と、該長手方向に直交する幅方向とを有する吸収性物品であって、
前記吸収体は、前記肌対向面側に前記長手方向に延びる凹陥部を有しており、
温感剤が前記表面シートの肌対向面側に配されており、
前記温感剤は水崩壊性のカプセルに内包されている、吸収性物品。
【請求項２】
肌対向面側に位置する表面シートと、非肌対向面側に位置する裏面シートと、両シート間に介在する吸収体とを備え、着用者の腹側から股間部を介して背側に延びる長手方向と、該長手方向に直交する幅方向とを有する吸収性物品であって、
前記吸収体は、前記肌対向面側に前記長手方向に延びる凹陥部を有しており、
温感剤が前記表面シートと前記吸収体との間に配されている、吸収性物品。
【請求項３】
肌対向面側に位置する表面シートと、非肌対向面側に位置する裏面シートと、両シート間に介在する吸収体とを備え、着用者の腹側から股間部を介して背側に延びる長手方向と、該長手方向に直交する幅方向とを有する吸収性物品であって、
前記吸収体は、前記肌対向面側に前記長手方向に延びる凹陥部を有しており、
第１の温感剤が前記表面シートの肌対向面側に配されており、該第１の温感剤は水崩壊性のカプセルに内包されており、且つ、
第２の温感剤が前記表面シートと前記吸収体との間に配されている、吸収性物品。
【請求項４】
前記第１の温感剤と、前記第２の温感剤とが前記表面シートの平面方向の異なる位置に配されている、請求項３に記載の吸収性物品。
【請求項５】
前記股間部に配される股下部を備え、
前記股下部は、着用者の排泄部に対向配置される排泄部対向部を有し、
前記第１の温感剤及び前記第２の温感剤の少なくとも一方が前記排泄部対向部に配されている、請求項３又は４に記載の吸収性物品。
【請求項６】
前記股間部に配される股下部と、該股下部の前後に延在する腹側部及び背側部とを備え、
前記股下部は、着用者の排泄部に対向配置される排泄部対向部を有し、
前記第１の温感剤及び前記第２の温感剤の少なくとも一方が、前記排泄部対向部以外の前記股下部、前記腹側部及び前記背側部の少なくとも一つに配されている、請求項３又は４に記載の吸収性物品。
【請求項７】
前記表面シートは、着用者の肌側に向けて突出した複数の凸部を有している、請求項１ないし６のいずれか一項に記載の吸収性物品。
【請求項８】
前記表面シートは、着用者の肌側に向けて突出した複数の凸部を有しており、
前記温感剤又は前記第１の温感剤が前記凸部の頂部に配されている、請求項１、３ないし６のいずれか一項に記載の吸収性物品。
【請求項９】
前記吸収体は、繊維と吸収性ポリマーとを含み、
前記吸収体は、断面視して、前記繊維の質量と前記吸収性ポリマーの質量との合計質量に対する吸収性ポリマーの質量比率を吸収性ポリマーの平均質量比率としたときに、吸収性ポリマーの質量比率が前記平均質量比率よりも高いポリマーリッチ領域と、吸収性ポリマーの質量比率が前記平均質量比率よりも低い繊維リッチ領域とを有しており、
前記ポリマーリッチ領域が前記非肌対向面側に配されている、請求項１ないし８のいずれか一項に記載の吸収性物品。
【請求項１０】
前記吸収体は、肌対向面側に位置する上層吸収体と、非肌対向面側に位置する下層吸収体とを備えており、
前記下層吸収体にのみ吸収性ポリマーが存在する、請求項１ないし９のいずれか一項に記載の吸収性物品。
【発明の詳細な説明】
【技術分野】
【０００１】
本発明は、吸収性物品に関する。
【背景技術】
【０００２】
失禁パッド等の吸収性物品は、一般に、相対的に着用者の肌から近い位置に配される液透過性の表面シートと、相対的に着用者の肌から遠い位置に配される裏面シートと、両シート間に介在する吸収体とを含んで構成される。近年、吸収性物品の着用時の不快感を軽減するために、様々な機能を付与した吸収性物品が提案されている。
【０００３】
例えば特許文献１には、着用者に知覚を伝える剤を含む吸収性物品が開示されている。同文献には、吸収性物品に含まれる剤として、例えば清涼剤等といった温度受容器を対象とする剤が挙げられており、吸収性物品の着用者に爽快感及びドライ感等を提供できることが開示されている。
【０００４】
また、特許文献２には、上述の一般的な構成を有する吸収性物品において、冷感剤等の揮発性の薬剤がトップシートの第２凹部の底部に塗布されている吸収性物品が開示されている。同文献に記載の吸収性物品は、着用者が冷感剤等の薬剤による刺激を受けにくくし、使用感を高めることができることも開示されている。
【０００５】
更に特許文献３には、上述の一般的な構成に加えて、冷感成分を内包するマイクロカプセルを備える吸収性物品が開示されている。同文献の吸収性物品は、肌当接シートにおける肌当接面側のマイクロカプセルの個数密度が、該シートの非肌当接面側のマイクロカプセルの個数密度よりも低い構成となっているので、適度な冷感作用を早期且つ長時間にわたり付与することができることも開示されている。
【先行技術文献】
【特許文献】
【０００６】
【特許文献１】特表２００４−５２８０９０号公報
【特許文献２】特開２０１６−２２０９８３号公報
【特許文献３】特開２０１７−１２４５５号公報
【発明の概要】
【発明が解決しようとする課題】
【０００７】
ところで、失禁パッド等の吸収性物品は、主に着用者が活動している際に着用するものであるので、吸液後の吸収性物品を直ちに交換することは容易ではない。特に吸液後の吸収性物品を長時間着用している場合、吸収体に吸収された体液はその温度が低下することに起因して、着用者に冷感等の不快感を生じさせる。また、着用者の冷感の知覚は、更なる尿漏れを誘発させたり、尿漏れに対する不安を増大させるおそれがある。
【０００８】
特許文献１ないし３に記載の吸収性物品では、このような冷感に対する対策がなされていない。その結果、尿漏れを一層誘発させたり、尿漏れに対する不安が一層増大してしまう。
【０００９】
したがって、本発明の課題は、従来技術の欠点を解決し得る吸収性物品を提供することにある。
【課題を解決するための手段】
【００１０】
本発明は、肌対向面側に位置する表面シートと、非肌対向面側に位置する裏面シートと、両シート間に介在する吸収体とを備え、着用者の腹側から股間部を介して背側に延びる長手方向と、該長手方向に直交する幅方向とを有する吸収性物品であって、
前記吸収体は、前記肌対向面側に前記長手方向に延びる凹陥部を有しており、
温感剤が前記表面シートの肌対向面側に配されており、
前記温感剤は水崩壊性のカプセルに内包されている、吸収性物品を提供するものである。
【００１１】
また、本発明は、肌対向面側に位置する表面シートと、非肌対向面側に位置する裏面シートと、両シート間に介在する吸収体とを備え、着用者の腹側から股間部を介して背側に延びる長手方向と、該長手方向に直交する幅方向とを有する吸収性物品であって、
前記吸収体は、前記肌対向面側に前記長手方向に延びる凹陥部を有しており、
温感剤が前記表面シートと前記吸収体との間に配されている、吸収性物品を提供するものである。
【００１２】
更に本発明は、肌対向面側に位置する表面シートと、非肌対向面側に位置する裏面シートと、両シート間に介在する吸収体とを備え、着用者の腹側から股間部を介して背側に延びる長手方向と、該長手方向に直交する幅方向とを有する吸収性物品であって、
前記吸収体は、前記肌対向面側に前記長手方向に延びる凹陥部を有しており、
第１の温感剤が前記表面シートの肌対向面側に配されており、
前記第１の温感剤は水崩壊性のカプセルに内包されており、且つ
第２の温感剤が前記表面シートと前記吸収体との間に配されている、吸収性物品を提供するものである。
【発明の効果】
【００１３】
本発明によれば、体液排泄時等の所望のタイミングで、吸収体を加熱することなく着用者の冷感の知覚及び該知覚に起因する不快感を抑制し、更なる尿漏れを誘発させたり、尿漏れに対する不安を解消することができる。即ち、着用時の快適性を向上させることができる。
【図面の簡単な説明】
【００１４】
【図１】図１は、本発明の吸収性物品の一実施形態を示す断面模式図である。
【図２】図２（ａ）ないし（ｄ）は、本発明の吸収性物品における表面シート、吸収体及び温感剤の配置位置を示す拡大模式図（図１相当図）である。
【図３】図３（ａ）及び（ｂ）は、本発明の吸収性物品における表面シート、吸収体及び温感剤の別の配置位置を示す拡大模式図（図１相当図）である。
【図４】図４は、表面シートにおける凸部及び側壁部の繊維密度を示す要部拡大模式図である。
【図５】図５（ａ）及び（ｂ）は、図２（ａ）ないし（ｄ）に示す表面シートの製造に好適に用いられる装置を示す模式図である。
【発明を実施するための形態】
【００１５】
以下本発明を、その好ましい実施形態に基づき図面を参照しながら説明する。本発明の吸収性物品は、着用者の腹側から股間部を介して背側に延びる方向に相当する長手方向とこれに直交する幅方向とを有する縦長の形状をしている。そして吸収性物品は、着用者の股間部に配される股下部並びにその前後に延在する腹側部及び背側部を有する。股下部は、吸収性物品の着用時に着用者の排泄部に対向配置される排泄部対向部を有しており、該排泄部対向部は通常、吸収性物品の長手方向の中央部又はその近傍に位置している。
【００１６】
本発明の吸収性物品は、着用者の肌対向面側に位置する表面シートと、非肌対向面側に位置する裏面シートと、両シート間に介在配置された吸収体とを備える。例えば図１に示すように、吸収性物品１は、表面シート２と、裏面シート３と、両シート２，３間に介在する吸収体４とを備えている。なお、肌対向面とは、吸収性物品１を構成する各部材の表裏両面のうち、着用時に着用者の肌側に配される面であり、非肌対向面とは、吸収性物品１を構成する各部材の表裏両面のうち、着用時に着用者の肌側とは反対側に向けられる面である。以下の説明では、図１ないし図３においては、上側が肌対向面側であり、下側が非肌対向面側である。
【００１７】
表面シート２としては、液透過性を有するシートを用いることができる。このようなシートとしては、例えば、エアスルー不織布、スパンボンド不織布、スパンレース不織布、メルトブローン不織布、レジンボンド不織布、ニードルパンチ不織布などの不織布が挙げられる。また、これらの不織布を２種以上組み合わせた積層体や、これらの不織布と穿孔フィルム等とを組み合わせた積層体を用いることもできる。
【００１８】
表面シート２の坪量は、好ましくは１０ｇ／ｍ２以上、より好ましくは１５ｇ／ｍ２以上であり、また好ましくは４０ｇ／ｍ２以下、より好ましくは３５ｇ／ｍ２以下である。不織布の坪量は１０ｇ／ｍ２以上４０ｇ／ｍ２以下であることが好ましく、１５ｇ／ｍ２以上３５ｇ／ｍ２以下であることが更に好ましい。表面シート２として不織布の積層体（多層体）を用いる場合には、上述の数値は該積層体（多層体）の合計坪量を指す。
【００１９】
表面シート２は、例えば図２（ａ）ないし（ｄ）に示すように、２枚以上の不織布を用いて表面シート２を多層構造として形成していてもよく、図３（ａ）及び（ｂ）に示すように、１枚の不織布を用いて表面シート２を単層構造として形成することもできる。また、表面シート２がいずれの形態であっても、表面シート２は、その肌対向面側に複数の凹部及び凸部が形成された凹凸形状となっていてもよく、あるいは、表面シート２の肌対向面側に、一方向に延びる畝部と溝部とが交互に形成された畝溝形状となっていてもよく、凹凸及び畝溝を有しない平面状であってもよい。なお、以下の説明では、凸部又は畝部を単に「凸部」とし、凹部又は溝部を単に「凹部」として説明する。
【００２０】
図２（ａ）ないし（ｄ）に示す表面シート２は、着用者の肌から遠い側に位置する下層不織布２ａと、着用者の肌側に位置する上層不織布２ｂとが積層された構造を有している。また同図において、表面シート２における上層不織布２ｂの肌対向面側には、着用者の肌側に向けて突出した複数の凸部２１と、該凸部２１間に位置する凹部２２とが形成されている。凸部２１は、下層不織布２ａから離間するように突出して形成されており、凸部２１と凹部２２とで画成された領域２５は中空となっている。一方、表面シート２の下層不織布２ａはほぼ平坦である。
【００２１】
このように、表面シート２が中空構造を有していることによって、吸収性物品の着用時に表面シートの凹凸が潰れやすくなるので、肌への接触面積が大きくなる。その結果、後述する温感剤を肌に多く作用させ、着用者に冷感の知覚を効果的に抑制することができる。特に、図２（ａ）ないし（ｄ）に示すような中空の領域２５を有する積層構造となっている表面シート２を用いる場合、着用者の冷感知覚の抑制に加えて、凹凸構造が復元されやすいので柔らかな風合いが維持されやすく、その結果、吸収性物品の着用時の快適性を一層向上させることができる。
【００２２】
図２（ａ）ないし（ｄ）に示すように、表面シート２が積層構造を有している場合、上層不織布２ｂの構成繊維の繊維密度が、下層不織布２ａの構成繊維の繊維密度よりも高くなっていることが好ましい。このような繊維密度の構成となっていることによって、後述する温感剤を含んだ水分が毛細管現象によって上層不織布側に移行しやすくなるので、温感剤を着用者の肌に作用させやすくなり、その結果、着用者の冷感の知覚を一層抑制することができる。
【００２３】
上層不織布２ｂにおける構成繊維の繊維密度は、１０ｇ／ｃｍ３以上であることが好ましく、１５ｇ／ｃｍ３以上であることが更に好ましく、また、３５ｇ／ｃｍ３以下であることが好ましく、２５ｇ／ｃｍ３以下であることが更に好ましい。同様に、下層不織布２ａにおける構成繊維の繊維密度は、１ｇ／ｃｍ３以上であることが好ましく、５ｇ／ｃｍ３以上であることが更に好ましく、また、１５ｇ／ｃｍ３以下であることが好ましく、１０ｇ／ｃｍ３以下であることが更に好ましい。これらの繊維密度は、後述する繊維密度の測定法によって測定できる。
【００２４】
図３（ａ）及び（ｂ）に示すように１枚の不織布を用いて表面シート２を形成した場合であっても、表面シート２に、着用者の肌側に向けて突出した複数の凸部と、該凸部間に位置する凹部とを形成することができる（図示せず）。例えば、単層の表面シート２における凸部２１及び凹部２２は、例えば凸部２１を該シート２における相対的に厚みの大きな部位から構成し、凹部２２を該シート２における相対的に厚みの小さな部位から構成することによって設けることができる。このような凸部及び凹部は、単層シートに対して、例えばエンボス加工や、所望の賦形形状に相補的な金型等に押し付けて賦形する加工等を行うことで形成することができる。
【００２５】
シートの柔軟性の観点から、表面シート２の肌対向面が、上に凸の滑らかな曲線を描く輪郭となっており、表面シート２の非肌対向面が、下に凸の滑らかで且つ緩やかな曲線を描く輪郭となっていることが好ましい。このときに、表面シート２の肌対向面において凸部２１が設けられている位置に対応する表面シート２の非肌対向面の位置に凹条部が設けられ、表面シート２の肌対向面において凹部２２が設けられている位置に対応する表面シート２の非肌対向面の位置に凸条部が設けられていることが一層好ましい。このように表面シート２を構成することによって、該シート２が単層構造であっても凸部２１の内部に中空の領域を形成することができ、シートの柔軟性をより高めることができる。
【００２６】
また、表面シート２が単層構造又は多層構造のいずれであっても、表面シート２において複数の凸部２１を形成した場合、凸部２１の頂部２１ａにおける繊維密度が、凸部２１の側壁部２１ｂの繊維密度よりも高くなっていることが好ましい（図４参照）。凸部２１において、このような繊維密度の構成となっていることによって、後述する温感剤が頂部２１ａに配されている場合に、頂部２１ａの肌対向面側に配置した温感剤の脱落を防ぐとともに、頂部２１ａ周辺に温感剤を多く分布させることができるので、着用者の冷感の知覚を一層抑制することができる。
【００２７】
凸部２１の頂部２１ａにおける構成繊維の繊維密度に対する凸部２１の側壁部２１ｂの密度の比率は、０．１５以上であることが好ましく、０．２以上であることが更に好ましく、また、０．９以下であることが好ましく、０．８以下であることが更に好ましい。具体的な凸部２１の頂部２１ａにおける構成繊維の繊維密度は、９０本／ｍｍ２以上であることが好ましく、１００本／ｍｍ２以上であることが更に好ましく、また、２００本／ｍｍ２以下であることが好ましく、１８０本／ｍｍ２以下であることが更に好ましい。同様に、凸部２１の側壁部２１ｂにおける構成繊維の繊維密度は、３０本／ｍｍ２以上であることが好ましく、４０本／ｍｍ２以上であることが更に好ましく、また、８０本／ｍｍ２以下であることが好ましく、７０本／ｍｍ２以下であることが更に好ましい。繊維密度の測定方法は、以下のとおりである。
【００２８】
〔繊維密度の測定方法〕
フェザー剃刀（品番ＦＡＳ‐１０、フェザー安全剃刀（株）製）を用いて、サンプルとなる不織布を厚み方向Ｚに沿って切断する。頂部２１ａでの繊維密度は、不織布の切断面を厚み方向Ｚに三等分したときに、頂部２１ａを含む上方の部位を、走査電子顕微鏡を用いて拡大観察（繊維断面が３０〜６０本程度計測できる倍率に調整；１５０〜５００倍）し、一定面積当たり（０．５ｍｍ２程度）の前記切断面によって切断されている繊維の断面数を数える。次に１ｍｍ２当たりの繊維の断面数に換算し、これを頂部２１ａでの繊維密度とする。測定は３箇所行い、平均してそのサンプルの繊維密度とする。同様に、側壁部２１ｂの繊維密度は、不織布の切断面の厚み方向Ｚに三等分したときに、中央の部位を測定して求める。なお、走査電子顕微鏡としては、日本電子（株）社製のＪＣＭ−５１００（商品名）を用いる。
【００２９】
上述した表面シート２において、凹凸形状を形成するための凹凸賦形や、畝溝形状を形成するための畝溝賦形等を施すときには、例えばエンボス加工や、所望の賦形形状に相補的な金型等に押し付けて賦形する加工等によって行うことができる。
【００３０】
凸部２１の感触を良好にするとともに、後述する温感剤の効果を効果的に発現させる観点から、凸部２１の高さＨ１（図２（ａ）参照）は、好ましくは０．５ｍｍ以上、より好ましくは１ｍｍ以上であり、また好ましくは８ｍｍ以下、より好ましくは５ｍｍ以下であり、また、好ましくは０．５ｍｍ以上８ｍｍ以下、より好ましくは１ｍｍ以上５ｍｍ以下である。凸部２１の高さＨ１は、表面シート２における凹部２２を形成する面と、凸部２１の頂部の上面との間の距離である。
【００３１】
凸部２１の高さＨ１は、以下のようにして測定することができる。すなわち、サンプルを、鋭利なカミソリで切断し、その切断端面を観察して、凹部２２を形成する面と各凸部２１の頂部の上面との間の最短距離を計測する。得られた値を各凸部の高さとする。肉眼にて測定し難い場合には、切断されたサンプルの断面を、例えば、マイクロスコープ（ＫＥＹＥＮＣＥ社製ＶＨＸ−１０００）を用いて２０〜１００倍の倍率で観察して測定してもよい。
【００３２】
凸部２１の感触を良好にする観点から、凸部２１の幅方向Ｙの全幅Ｗ１（図２（ａ）参照）は、好ましくは１ｍｍ以上、より好ましくは１．５ｍｍ以上であり、また好ましくは２０ｍｍ以下、より好ましくは１５ｍｍ以下であり、また好ましくは１ｍｍ以上２０ｍｍ以下、より好ましくは１．５ｍｍ以上１５ｍｍ以下である。
【００３３】
また、凹部２２の幅方向Ｙの全幅Ｗ２（図２（ａ）参照）は、好ましくは１ｍｍ以上、より好ましくは１．５ｍｍ以上であり、また好ましくは２０ｍｍ以下、より好ましくは１５ｍｍ以下であり、また好ましくは１ｍｍ以上２０ｍｍ以下、より好ましくは１．５ｍｍ以上１５ｍｍ以下である。
【００３４】
裏面シート３としては、例えば液難透過性のフィルムやスパンボンド・メルトブローン・スパンボンド積層不織布などを用いることができる。液難透過性のフィルムに、複数の微細孔を設け、該フィルムに水蒸気透過性を付与してもよい。吸収性物品の肌触り等を一層良好にする目的で、裏面シート３の外面に不織布等の風合いの良好なシートを積層してもよい。
【００３５】
吸収体４は、一般的に、着用者の腹側から股間部を介して背側に延びる方向に相当する長手方向とこれに直交する幅方向とを有する縦長の形状をしている。吸収体４は、液保持性の吸収性コア４ａを少なくとも備えている。吸収性コア４ａは、例えばパルプをはじめとするセルロース等の親水性繊維の積繊体、該親水性繊維と吸収性ポリマーとの混合積繊体、吸収性ポリマーの堆積体、２枚の吸収性シート間に吸収性ポリマーが担持された積層構造体などから構成される。本発明の吸収性物品は、親水性繊維と吸収性ポリマーとの混合積繊体である吸収性コア４ａを備えていることが尿漏れに対する不安を解消し、着用時の快適性を高める観点から好ましい。
【００３６】
吸収性コア４ａは、少なくともその肌対向面が液透過性のコアラップシート４ｂで覆われていてもよく、図１に示すように、吸収性コア４ａの肌対向面及び非肌対向面を含む表面の全域がコアラップシート４ｂで覆われていてもよい。コアラップシート４ｂとしては、例えば親水性繊維からなる薄葉紙や、上述した液透過性の不織布などを用いることができる。
【００３７】
吸収体４は、吸収性コア４ａが親水性繊維及び吸収性ポリマーを含む場合、吸収性ポリマーの量を偏在させて形成していてもよい。具体的には、吸収性コア４ａを構成する親水性繊維と吸収性ポリマーとの合計の質量に対する吸収性ポリマーの質量比率を吸収性ポリマーの平均質量比率としたときに、吸収性コア４ａは、その断面視において、吸収性ポリマーの質量比率が吸収性ポリマーの平均質量比率よりも高いポリマーリッチ領域と、吸収性ポリマーの質量比率が吸収性ポリマーの平均質量比率よりも低い繊維リッチ領域とを有していることが好ましい。例えば、一つの吸収体４を厚み方向に仮想的に二等分したときに、肌対向面側を上層部とし、非肌対向面側を下層部としたときに、下層部に存在する吸収性ポリマーの量が上層部に存在する吸収性ポリマーの量よりも多くするか、又は少なくすることができる。また、他の例としては、吸収性物品１における吸収体４として、肌対向面側に位置する上層吸収体と、非肌対向面側に位置する下層吸収体とを備えた吸収体の積層体を用いることができ、更に、上層吸収体又は下層吸収体に吸収性ポリマーを存在させるように形成してもよい。
【００３８】
上述の態様のうち、吸収体４に含まれる吸収性ポリマーが該吸収体４の非肌対向面側に偏在していることが好ましい。つまり、吸収体４の断面視において、肌対向面側に繊維リッチ領域を配し、非肌対向面側にポリマーリッチ領域が配されることが好ましい。特に、ポリマーリッチ領域と繊維リッチ領域とは吸収体４の厚み方向Ｚに区分されており、該ポリマーリッチ領域が非肌対向面側に配されていることが更に好ましい。なお、繊維リッチ領域においては、吸収性ポリマーが存在していてもよく、存在していなくてもよい。
【００３９】
吸収体４が上述の構成となっていることによって、吸収体の肌対向面側に排泄液由来の自由水が多く存在しやすくなるので、後述する温感剤が排尿部以外にも広がりやすくなり、温感剤の効果を吸収性物品における排尿部以外の幅広い領域で作用させることができる。その結果、着用者の冷覚知覚を効果的に抑制させることができる。
【００４０】
吸収体４は、肌対向面側から非肌対向面側に向かって凹陥した凹陥部５を有している。図１に示すように、凹陥部５は、吸収性コア４ａの肌対向面側に形成されている。また、凹陥部５は、同図に示すように、吸収性コア４ａにのみ形成されていてもよく、吸収性コア４ａ及びコアラップシート４ｂがともに凹陥して形成されていてもよい。凹陥部５は、吸収体４の長手方向に延びるように単独又は複数形成されている。凹陥部５が複数形成されている場合、凹陥部５は幅方向Ｙに並んで配されている。本実施形態においては、吸収体４の長手方向と、吸収性物品１における長手方向とはそれぞれ一致している。また、表面シート２に存在する凸部２１及び凹部２２と、吸収体４における凹陥部５とは、位置及びピッチが同一となるように形成してもよく、重なるように形成してもよく、それぞれ異なるように形成してもよい。
【００４１】
吸収体４がこのような凹陥部５を有していることによって、排泄液由来の自由水の拡散を促進させて、後述する温感剤が配されていない領域にも該温感剤を作用させることができるので、着用者の冷覚知覚を効果的に抑制することができる。また、刺激に敏感な排泄部以外の領域に温感剤を配置した場合でも、排泄液由来の自由水の拡散によって、温感剤による排泄部への過度な刺激を抑制しつつ、排泄部にも温感剤を作用させることができ、その結果、着用者の冷覚知覚を一層効果的に抑制することができる。
【００４２】
吸収体４に形成された凹陥部５は、その本数が１本以上が好ましく、２本以上が更に好ましく、また、１００本以下が好ましく、５０本以下が更に好ましい。吸収体４に形成された凹陥部５は、１本以上１００本以下が好ましく、２本以上５０本以下が更に好ましい。なお、凹陥部５の数え方は、幅方向Ｙに仮想直線をひいたとき、その仮想直線と交差する凹陥部５の本数を凹陥部５の本数と定義する。仮想直線をひいた位置によって凹陥部５の本数が異なる場合は、これらの本数のうち、最大のものを凹陥部５の本数と定義する。このように、凹陥部５を有していることによって、排泄された尿などの体液を吸収性物品全体に拡散させつつ、後述する温感剤も併せて拡散させることができ、その結果、吸収性物品の着用者に効率よく温感を知覚させることができる。
【００４３】
上述した凹陥部５に加えて、吸収体４は、その非肌対向面側から肌対向面側に向かって凹陥した第２凹陥部を更に有していてもよい。第２凹陥部は、吸収性コア４ａの非肌対向面側に形成されている。凹陥部５及び第２凹陥部の位置は、厚み方向において重なっていてもよく、重ならなくてもよい。なお、第２凹陥部に関するその他の説明は、上述した凹陥部５の説明が適宜適用される。
【００４４】
本発明者は、従来技術の課題を解決すべく鋭意検討した結果、吸収性物品に温感剤を特定の部材及び領域に配することによって、尿などの体液排泄後であっても、着用者の冷感の知覚を抑制できることを見出した。
【００４５】
上述のとおり、本発明の吸収性物品は温感剤を含む。本明細書における温感剤とは、温感剤が着用者の肌に接触したときに、着用者に温感を知覚させる化合物を含む剤である。
【００４６】
温感剤は、表面シートに配されていてもよく、表面シートと吸収体との間に配されていてもよく、これらの組み合わせで配されていてもよい。詳細には、図２（ａ）及び図３（ａ）に示すように、温感剤６は、表面シート２の肌対向面側にのみ配されていてもよく、図２（ｂ）及び図３（ｂ）に示すように、表面シート２と吸収体４におけるコアラップシート４ｂとの間にのみ配されていてもよい。
【００４７】
また、図２（ｃ）に示すように、温感剤６は、表面シート２の肌対向面側に配され、且つ表面シート２と吸収体４におけるコアラップシート４ｂとの間に配されていてもよく、図２（ｄ）に示すように、表面シートに配された温感剤６（第１の温感剤６Ａ）と、表面シート２と吸収体４におけるコアラップシート４ｂとの間に配された温感剤６（第２の温感剤６Ｂ）とが、表面シート２の平面方向の異なる位置に配されていてもよい。図２（ｄ）に示す実施形態では、第１の温感剤６Ａが凸部２１に配され、且つ第２の温感剤６Ｂが凹部２２に配されており、表面シート２を上面視したときに、各温感剤６Ａ，６Ｂが互いに重ならないように配されている。これらのほかに、各温感剤６Ａ，６Ｂを吸収性物品における異なる領域に配することで、各温感剤６Ａ，６Ｂが互いに重ならないように配していてもよい。例えば、第１の温感剤６Ａを股下部に配し、第２の温感剤６Ｂを腹側部及び背側部に配することで、各温感剤６Ａ，６Ｂが互いに重ならないように配してもよい。
【００４８】
温感剤に起因する温感を体液排泄時等の適切なタイミングで着用者に知覚させる観点から、図２（ａ）、（ｃ）及び（ｄ）並びに図３（ａ）に示すように、表面シート２の肌対向面側に配されている温感剤６（第１の温感剤６Ａ）は、水崩壊性のマイクロカプセルに内包されていることが好ましい。水崩壊性とは、水又は体液等の水溶液と接触することによって、乾燥時に保持されている形状が容易に崩壊することを指す。つまり、本発明における水崩壊性のマイクロカプセルは、該カプセルが水分と接することによって、該カプセルに内包されている温感剤を放出可能となっているものである。このような構成を有していることによって、体液排泄時等の所望のタイミングで温感剤を作用させて、着用者の冷覚知覚を効果的に抑制することができ、その結果、着用時の快適性を向上させることができる。
【００４９】
温感剤が水崩壊性のマイクロカプセルに内包されている場合、該カプセルにおける温感剤の放出機構としては、例えばカプセルが排泄物中の水分を吸収して溶解又は崩壊する機構や、該カプセルが排泄物中の水分を吸収することによって膨潤し、温感剤を放出可能な細孔がカプセルに開孔する機構等といった、当該技術分野で公知の機構を採用することができる。また、温感剤の放出を一層高める観点から、上述の機構に加えて、排泄物が有する熱に起因して、カプセルが溶解又は崩壊する機構や、排泄液等のｐＨに起因して、カプセルが溶解又は崩壊する機構を採用してもよい。
【００５０】
このような機構を発現するマイクロカプセルの材料として、当該技術分野で公知のものを用いることができる。本発明におけるマイクロカプセルの材料としては、例えば、ブドウ糖等の単糖類、ショ糖等の二糖類、デキストリン、グルコマンナン、アルギン酸ナトリウム、水溶性でんぷん等の多糖類、ポリビニルアルコール、ポリ酢酸ビニル等の水溶性ポリマー、ゼラチン等が挙げられる。
【００５１】
温感剤に起因する温感を体液排泄時等の適切なタイミングで素早く発現させる観点から、温感剤６は、吸収性物品１の排泄部対向部に配されていることが好ましい。この場合、排泄部対向部に配されている温感剤は、例えば図２（ａ）及び図３（ａ）に示すように、第１の温感剤６Ａとして表面シート２の肌対向面側に配されていてもよく、また、図２（ｂ）及び図３（ｂ）に示すように、第２の温感剤６Ｂとして表面シート２と吸収体４との間に配されていてもよく、各温感剤６Ａ，６Ｂが前記の組み合わせで配されていてもよい。特に、吸収性物品１の排泄部対向部において、温感剤６（第２の温感剤６Ｂ）が表面シート２と吸収体４との間に配されていると、尿などの体液排泄直後だけでなく、排泄後一定時間経過後であっても、吸収体中の自由水の拡散に伴なって、温感剤を幅広い領域で作用させることができ、温感剤の作用に起因する温感を着用者に知覚させることができるので一層好ましい。温感剤６が吸収性物品１の排泄部対向部に配されている場合、温感剤６は、排泄部対向部以外の領域に更に配されていてもよく、排泄部対向部以外の領域には配されていなくてもよい。
【００５２】
着用者の排泄部への温感剤の過度な刺激を抑制する観点から、温感剤６は、吸収性物品１における排泄部対向部以外の領域に配されてもよい。この場合、温感剤６は、排泄部対向部に更に配されていてもよく、排泄部対向部に配されていなくてもよい。特に、着用者の排泄部への温感剤の過度な刺激を一層抑制する観点から、吸収性物品に配されている温感剤６は、吸収性物品１における排泄部対向部には配されておらず、吸収性物品１における排泄部対向部以外の股下部、腹側部及び背側部の少なくとも一つに配されていることが好ましい。排泄部対向部以外の領域に配されている温感剤は、例えば図２（ａ）及び図３（ａ）に示すように、第１の温感剤６Ａとして表面シート２の肌対向面側に配されていてもよく、また、図２（ｂ）及び図３（ｂ）に示すように、第２の温感剤６Ｂとして表面シート２と吸収体４との間に配されていてもよく、各温感剤６Ａ，６Ｂが前記の組み合わせで配されていてもよい。
【００５３】
特に、吸収体４は、その長手方向に延びる凹陥部５を有しているので、吸収性物品１の排泄部対向部以外の領域に温感剤６が配されている場合でも、排泄液の水分及び温感剤６を凹陥部５を介して、例えば排泄部対向部などの温感剤６が配されていない領域にも温感剤６を拡散させることができる。その結果、温感剤６による排泄部への過度な刺激を抑制しつつ、温感剤６を幅広い領域で作用させて、着用者に対して温感を一層効果的に知覚させることができる。
【００５４】
着用者の温感の知覚を効果的に発現させる観点から、図２（ａ）、（ｃ）及び（ｄ）に示すように、表面シート２が凹凸賦形又は畝溝賦形（以下、これらの賦形を単に「凹凸賦形等」ともいう。）されている場合、表面シート２の肌対向面側において、温感剤６が凸部２１の頂部に配されていることが好ましい。同図に示すように、凸部２１には、該凸部２１の頂部を概ね中心にして、温感剤６が一定の広がりをもって付着していることも好ましい。
【００５５】
着用者に対して温感を一層効果的に知覚させて、着用者の冷感の知覚を抑制する観点から、本発明に用いられる温感剤は、温感を知覚させる感覚受容体と結合する化合物を含む剤であることが好ましい。このような感覚受容体としては、ＴＲＰＶ１受容体及びＴＲＰＶ３受容体のうち少なくとも１つと結合する化合物をであることが好ましい。
【００５６】
本発明に用いられる温感剤は、例えば、ジンゲロール、ショーガオール、ジンゲロン、オイゲロール及びバニリルブチルエーテル等の４−ヒドロキシ−３−メトキシフェニル基を化学構造中に有する化合物、カプサイシン等のワニリルアミド基を化学構造中に有する化合物、ピペリン、サンショオール、１，４−シネオール、１，８−シネオール、カフェイン、ニコチン酸トコフェロール等の化合物を含む。これらの化合物は単独で又は複数含まれていてもよい。これらの化合物は、水やエタノール等の溶媒に分散又は溶解した形態であってもよく、粒状体や粉状体等の乾燥状態の形態であってもよい。
【００５７】
また温感剤として、上述の化合物を含む生薬の抽出物を用いてもよい。温感剤として生薬の抽出物を用いる場合、該抽出物は溶媒に分散又は溶解した形態であってもよく、粒状体や粉状体等といった乾燥状態の形態であってもよい。抽出に用いる溶媒は、例えば水や、エタノール等の有機溶媒、又はこれらの混合溶媒を用いることができる。温感剤として用いられる生薬の抽出物としては、例えば生姜チンキ、生姜エキス、トウガラシチンキ、トウガラシエキス、サンショウエキス、セージ抽出物などを挙げることができる。
【００５８】
なお、上述の温感剤を水崩壊性のマイクロカプセルに内包させる場合には、水及び体液等の水溶液の非存在下で水崩壊性のマイクロカプセルが崩壊しないように、温感剤及び溶媒を適宜選択することが好ましい。このような組み合わせとしては、例えば、乾燥状態（溶媒非含有）の温感剤を水崩壊性のマイクロカプセルに内包する態様が挙げられる。
【００５９】
吸収性物品は、上述した表面シート、裏面シート及び吸収体に加え、吸収性物品の具体的な用途に応じ、吸収性物品の肌対向面側の長手方向に沿う両側部に、長手方向に沿って延びる防漏カフが配される場合がある。防漏カフは一般に、基端部と自由端とを備えている。防漏カフは、吸収性物品の肌対向面側に基端部を有し、肌対向面側から起立している。防漏カフは、液抵抗性ないし撥水性で且つ通気性の素材から構成されている。防漏カフの自由端又はその近傍には、糸ゴム等からなる弾性部材を伸長状態で配してもよい。吸収性物品の着用状態においてこの弾性部材が収縮することによって、防漏カフが着用者の身体に向けて起立するようになり、表面シート上に排泄された液が、表面シート上を伝い吸収性物品の幅方向外方へ漏れ出すことが効果的に阻止される。
【００６０】
吸収性物品は、裏面シートの非肌対向面に粘着部を更に有していてもよい。粘着部は、吸収性物品の着用状態において、該吸収性物品を、下着や別の吸収性物品に固定し、着用時のズレを防止するために用いられる。
【００６１】
吸収性物品は、香料を含んでいてもよい。香料は、その香気成分が大気圧下で大気中に揮散するものであれば良く、常温常圧の環境下でその香気を知覚し得るものであることが好ましい。このような香料を用いることによって、尿や経血等の排泄物に起因する不快な臭いを香料の香気によってマスキングすることができる。
【００６２】
以上は、本発明の吸収性物品について説明したところ、以下に、図２（ａ）、（ｂ）及び（ｄ）に示す実施形態を例にとり、これらの実施形態に用いられる表面シートの好適な製造方法を、図５に示す製造装置１００を参照しながら説明する。本製造方法は、第１の不織布と、凹凸賦形等させた第２の不織布とを重ねあわせた状態下で、ヒートロールなどで挟圧して第１及び第２の不織布どうしを接合する工程と、水崩壊性のカプセルに内包された温感剤を、第１の不織布に形成された凸部の頂部及びその近傍に塗工する工程とに大別される。以下に各工程を説明する。
【００６３】
図５（ａ）に示すとおり、周面が凹凸形状となっている第１ロール１１１の周面に対して、第１ロールの凹凸形状と噛み合う形状となっている第２ロール１１２、第１ヒートロール１１３及び第２ヒートロール１１４が対向配置されている。第２ロール１１２、第１ヒートロール１１３及び第２ヒートロール１１４は、第１ロール１１１の回転方向Ｒの上流側から下流側に向かってこの順に配置されている。第１ロール１１１及び第２ロール１１２の詳細は後述する。第１ヒートロール１１３及び第２ヒートロール１１４は、それぞれ周面に凹凸を有していないフラットなロールである。
【００６４】
まず、図５（ａ）に示すように、第１の不織布２ｆ（以下、単に「第１不織布２ｆ」ともいう。）の原反ロール（図示せず）から第１不織布２ｆを繰り出す。また、これとは別に、第２の不織布２ｇ（以下、単に「第２不織布２ｇ」ともいう。）の原反ロール（図示せず）から第２不織布２ｇを繰り出す。そして同図に示すとおり、繰り出された第１不織布２ｆを、第１ロール１１１と第２ロール１１２との噛み合い部に噛み込ませて第１不織布２ｆを凹凸賦形等する。このとき、第１ロール１１１をその周面からロール内部に向けて吸引して、第１不織布２ｆの凹凸賦形等を促進させることが好ましい。
第１不織布２ｆ及び第２不織布２ｇはそれぞれ、帯状の不織布の連続体である。第１不織布２ｆは表面シート２の上層不織布２ｂとなり、第２不織布２ｇは表面シート２の下層不織布２ａとなる。
【００６５】
次いで、第１不織布２ｆを第１ロール１１１の周面に引き続き吸引して賦形状態を保持したまま、第２不織布２ｇを重ね合わせ、その重ね合わせたものを、第１ロール１１１と周面平滑な第１ヒートロール１１３との間で加熱下に挟圧する。このとき、第１ロール１１１と第１ヒートロール１１３の両方又は第１ヒートロール１１３のみを所定温度に加熱しておく。これによって、第１ロール１１１における凸部１１１ａ上に位置する第１不織布２ｆと第２不織布２ｇとが熱融着によって接合される。
【００６６】
続いて、熱融着によって接合された第１不織布２ｆ及び第２不織布２ｇの積層不織布２Ｓ（以下、これを単に積層不織布２Ｓともいう。）を、第１ロール１１１の周面に引き続き吸引保持した状態下で移動させ、該積層不織布２Ｓを、第１ロール１１１と周面平滑な第２ヒートロール１１４との間で挟圧する。このとき、第１ロール１１１と第２ヒートロール１１４の両方又は第２ヒートロール１１４のみを所定温度に加熱しておく。これによって、第１不織布２ｆと第２不織布２ｇとが熱融着によって更に接合される。このようにして、凹凸賦形等された二層構造の積層不織布２Ｓが連続的に製造される。
【００６７】
続いて、図５（ｂ）に示すように、積層不織布２Ｓにおける第１不織布２ｆに形成された凸部の頂部及びその近傍に、水崩壊性のカプセルに内包された温感剤６（以下、カプセル型温感剤６ともいう。）を塗工する。図５（ｂ）に示すように、温感剤供給部１２０からカプセル型温感剤６及び接着剤の混合物を温感剤供給ロール１３０の周面に供給して、該ロール１３０の周面に連続的に施しておく。この状態で、積層不織布２Ｓを搬送方向ＭＤに搬送しながら、温感剤供給ロール１３０の周面と、積層不織布２Ｓにおける第１不織布２ｆに形成された凸部の頂部とを接触させて、カプセル型温感剤６を塗工する。このようにして、水崩壊性のカプセルに内包された温感剤６を積層不織布２Ｓにおける凸部２Ｔに塗工する。なお、塗工されなかったカプセル型温感剤６及び接着剤の混合物は、温感剤供給ロール１３０が回転するにつれて、スクレーパー等の除去部材１４０によって除去される。除去部材１４０は、温感剤供給ロール１３０の軸方向に沿って延びる略板状の部材であり、その端縁が該ロール１３０の周面に接するように配置されている。
【００６８】
最後に、上述の温感剤が塗工された積層不織布２Ｓを失禁パットやおむつ等の吸収性物品の製造工程に供給して、吸収性物品１の表面シート２とする。積層不織布２Ｓと表面シート２とは実質的に同一のものであるので、第１不織布２ｆに形成された凸部２Ｔと、表面シート２における凸部２１とは実質的に同一のものである。また、第１不織布２ｆと第２不織布２ｇとが接合された領域は、表面シート２における凹部２２となる。このようにして、凹凸賦形等された二層構造の表面シート２が、その凸部２１にカプセル型温感剤６が配された状態で製造される。
【００６９】
カプセル型温感剤６の塗工に用いられる接着剤は、水分非存在下では接着性又は粘着性を有し、且つ水分存在下では接着性又は粘着性を失う性質を有するものであることが好ましい。このような性質を有する接着剤としては、例えばデンプン、ポリビニルアルコール（ＰＶＡ）、糖類などの水溶性接着剤が挙げられる。
【００７０】
図２（ｃ）及び図２（ｄ）に示す実施形態の製造においては、カプセル型温感剤６（同図中、第１の温感剤６Ａに相当）に加えて、表面シート２における下層不織布２ａの非肌対向面又は吸収体４の肌対向面に、第２の温感剤６Ｂを連続的に又は間欠的に塗工することが好ましい。なお、表面シート２における第２の温感剤６Ｂの塗工は、積層不織布２Ｓの状態で行ってもよく、表面シート２とした後で行ってもよく、また、カプセル型温感剤６の塗工との前後は問わない。第２の温感剤６Ｂの塗工方法としては、例えば、スプレーによる散布又は塗布、ダイコーター等による塗布、グラビア方式又はフレキソ方式等による塗布が挙げられる。
【００７１】
図３（ａ）及び（ｂ）に示す実施形態の製造においては、上述の方法を適宜採用することができる。例えば、図３（ａ）に示す実施形態では、表面シート２を構成する不織布の一方の面と、温感剤供給ロール１３０の周面に供給されたカプセル型温感剤６及び接着剤の混合物とを接触させて、カプセル型温感剤６を表面シート２の肌対向面に塗工することができる。また、図３（ｂ）に示す実施形態では、上述した第２の温感剤６Ｂの塗工方法と同様の方法で、表面シート２を構成する不織布の一方の面又は吸収体４の肌対向面に温感剤６を塗工することができる。
【００７２】
以上、本発明をその好ましい実施形態に基づき説明したが、本発明は前記実施形態に制限されない。例えば、カプセル型温感剤を塗工する方法として、表面シートにおけるカプセル型温感剤を塗工したい領域に接着剤のみをあらかじめ塗布した後、その塗布面にカプセル型温感剤を散布して塗工することができる。
【００７３】
また、上述の製造方法として、図２（ａ）ないし（ｄ）に示す積層構造の表面シート２における実施形態を説明したが、当該実施形態に限られず、単層の表面シート２を用いてもよい。表面シート２を単層とする場合には、凹凸賦形等されており、凸部は中空となっていることが柔軟性の観点から好ましい。
【符号の説明】
【００７４】
１  吸収性物品
２  表面シート
２１  表面シートの凸部
２２  表面シートの凹部
２５  中空領域
３  裏面シート
４  吸収体
５  凹陥部
６  温感剤
１００  製造装置
１２０  温感剤供給部
１３０  温感剤供給ロール
１４０  除去部材
２Ｓ  積層不織布
２Ｔ  積層不織布の凸部
ＭＤ  搬送方向
【図１】
2019187963.tif 000003
【図２】
2019187963.tif 000004
【図３】
2019187963.tif 000005
【図４】
2019187963.tif 000006
【図５】
2019187963.tif 000007